(57)【要約】【課題】テーピングの専門知識を有しない人であっても迅速かつ容易に足首関節等を固定することができ、テープの貼り太りによって靴が履けない等の不都合も生じない足首部用粘着部材及びその使用方法を提供すること。【解決手段】足首部用粘着部材は、矩形状の底部、底部の一辺から延設され、軸を平行にする第一の後テープ体と前テープ体、及び、底部の対辺から延設され、軸を平行にする第二の後テープ体と前テープ体、からなる変形Ｈ字型粘着部材であって、第一の後テープ体及び第二の後テープ体の長さは、第一の前テープ体及び第二の前テープ体の長さより短い。第一の後テープ体、第一の前テープ体、第二の後テープ体、及び、第二の前テープ体の先端はそれぞれ舌状に形成されていることが好ましい。また、Ｈ字型粘着部材の粘着層を覆っている剥離ライナーには複数箇所背割りが施されていることが好ましく、この背割りによって区画された各剥離ライナーには文字又は画像が表示されていることが更に好ましい。【選択図】        図１
2005013370.tif 000002
【特許請求の範囲】
【請求項１】
矩形状の底部、該底部の一辺から延設され、軸を平行にする第一の後テープ体と前テープ体、及び、該底部の対辺から延設され、軸を平行にする第二の後テープ体と前テープ体、からなる変形Ｈ字型粘着部材であって、該第一の後テープ体及び該第二の後テープ体の長さは、該第一の前テープ体及び該第二の前テープ体の長さより短いことを特徴とする足首部用粘着部材。
【請求項２】
前記第一の後テープ体、前記第一の前テープ体、前記第二の後テープ体、及び、前記第二の前テープ体の先端はそれぞれ舌状に形成されていることを特徴とする請求項１記載の足首部用粘着部材。
【請求項３】
前記第一の前テープ体の先端辺から前記第二の前テープ体の先端辺までの長さが４００ｍｍ〜６５０ｍｍであり、前記前テープ体の幅と前記後テープ体の幅との合計が５０ｍｍ〜１５０ｍｍであることを特徴とする請求項１又は２記載の足首部用粘着部材。
【請求項４】
前記第一の前テープ体及び前記第二の前テープ体の長さが、それぞれ独立に２００ｍｍ〜２７０ｍｍであることを特徴とする請求項１から３のいずれか１項記載の足首部用粘着部材。
【請求項５】
前記第一の後テープ体及び前記第二の後テープ体の長さが、それぞれ独立に８０ｍｍ〜１５０ｍｍであることを特徴とする請求項１から４のいずれか１項記載の足首部用粘着部材。
【請求項６】
前記変形Ｈ字型粘着部材の粘着層は剥離ライナーで覆われており、該剥離ライナーには複数箇所背割りが施されていることを特徴とする請求項１から５のいずれか１項記載の足首部用粘着部材。
【請求項７】
前記変形Ｈ字型粘着部材の粘着層を覆い、かつ、背割りによって区画された各剥離ライナーには、文字又は画像が表示されていることを特徴とする請求項６記載の足首部用粘着部材。
【請求項８】
前記背割りによって区画された剥離ライナーに付された文字又は画像から、順番を認識することができることを特徴とする請求項７記載の足首部用粘着部材。
【請求項９】
足首部関節用粘着部材を構成する支持体が、強撚布からなることを特徴とする請求項１から８のいずれか１項記載の足首部用粘着部材。
【請求項１０】
足首部用粘着部材を構成する粘着層が、アクリル系粘着剤又はゲル系粘着剤から形成されていることを特徴とする請求項１から９のいずれか１項記載の足首部用粘着部材。
【請求項１１】
足首部用粘着部材を構成する粘着層の厚みと支持体の厚みの合計が、３００μｍ〜１１００μｍであり、前記粘着層と前記支持体とからなる粘着部材の伸張率が１１０％以下であることを特徴とする請求項１から１０のいずれか１項記載の足首部用粘着部材。
【請求項１２】
底部の剥離ライナーを除去した後、垂直に上に持ち上げた時に後テープ体が踝表面上を覆うように、底部に踵底面を乗せて貼着し、一方の後テープ体の剥離ライナーを除去し、該後テープ体の先端部を持って後テープ体を垂直に持ち上げて伸張させながら足首部の外側踝を覆うように貼着し、続いて、足首部の内側に貼着すべき、他方の後テープ体の剥離ライナーを除去した後、該後テープ体を垂直に持ち上げて伸張させながら足首部の内側踝を覆うように貼着し、次いで、足首部の外側に位置する、一方の前テープ体の剥離ライナーを除去してから、該前テープ体の先端部を持って前テープ体を伸張させながら、足の甲上方足首部を通って内側踝の上を覆い、さらに足首の後ろのアキレス腱を通過して外側踝までの１周を貼着し、続いて、足首部の内側に位置する、他方の前テープ体の剥離ライナーを除去してから、該前テープ体の先端部を持って前テープ体を伸張させながら、足の甲上方足首部で交差して外側踝の上を覆うようにし、アキレス腱を通り、内側踝までの１周を貼着することによって、足首関節をテーピングすることを特徴とするテーピング方法。
【請求項１３】
前記先端部を貼着するときは、先端部の伸張を弛めてから貼着することを特徴とする請求項１２記載のテーピング方法。
【請求項１４】
さらに矩形状の補助用粘着部材を用いて、テーピングを補強することを特徴とする請求項１２又は１３記載のテーピング方法。
【発明の詳細な説明】
【０００１】
【発明の属する技術分野】
本発明は、足首部用粘着部材及びその使用方法に関する。詳しくは、医療、スポーツや整体等の分野において、足首関節等を固定等するために用いられる足首部用粘着部材及びその使用方法に関する。
【０００２】
【従来の技術】
足首は全身を支えて体重がかかる部位であり、また、スポーツや日常生活等の動作において捻挫等が発生しやすい部位である。足首は歩行動作に深く関与しているため、足首に痛みが生じると日常の動作が困難になる。そのため、足首に生じる痛みを軽減する対策が強く求められており、例えば、足首関節等を固定する処置がとられる。
専門知識を要せずに足首関節等を固定するための方法として、足首にサポータを装着する方法があるが（例えば、特許文献１参照）、このサポータは極厚に形成された脛当てパッド等を有していて装着太りするので、装着した状態で靴等を履くことはできず、日常動作に不都合があった。また、足首に巻き締めるアンカーストラップと、８の字状に足の甲及び足底を巻き締めるフィギュアエイトストラップと、内果から足底を回り外果を通って巻き締めるスターアップストラップとを備えた、伸縮性のテープ状体からなる足関節サポータがあるが（例えば、特許文献２参照）、装着した後、時間の経過につれて緩みが生じ、十分な足首関節等の固定ができなかった。
足首の痛みを軽減させるために粘着テープを用いて足首関節を固定等すること（テーピング）は、スポーツや医療の分野において従来から行われている処置方法である。適切なテーピングが施されれば、足首を十分に固定して痛みを軽減することができ、かつ、足首等の運動能力を低下させることもないが、適切なテーピングを行うためには専門の知識が必要とされるため手軽に行うことができない、という欠点があった。また、支持、固定力を強化するために、粘着テープを足首に回旋状に重ねて巻きつけるテーピングが行われると、締め付け過ぎによる局部の循環障害や神経障害が生じやすい、という問題があった。
【０００３】
【特許文献１】
特開平１０−２４０５５号公報
【特許文献２】
特開平１０−２４８８６５号公報
【０００４】
【発明が解決しようとする課題】
そこで、上記問題に鑑み、本発明は、テーピングの専門知識を有しない人であっても迅速かつ簡易に足首を固定することができ、かつ、固定用部材等の装着やテープの貼り太りによって靴が履けない等の不都合も生じない足首部用粘着部材を提供することを目的とする。また、この足首部用粘着部材を用いて足首関節等を固定する方法を提供することを目的とする。
【０００５】
【課題を解決するための手段】
本発明の足首部用粘着部材は、矩形状の底部、該底部の一辺から延設され、軸を平行にする第一の後テープ体と前テープ体、及び、該底部の対辺から延設され、軸を平行にする第二の後テープ体と前テープ体、からなる変形Ｈ字型粘着部材であって、該第一の後テープ体及び該第二の後テープ体の長さは、該第一の前テープ体及び該第二の前テープ体の長さより短いことを特徴とする。
ここで、前記第一の後テープ体、前記第一の前テープ体、前記第二の後テープ体、及び、前記第二の前テープ体の先端はそれぞれ舌状に形成されていることができる。
また、前記第一の前テープ体の先端辺から前記第二の前テープ体の先端辺までの長さが４００ｍｍ〜６５０ｍｍであり、前記前テープ体の幅と前記後テープ体の幅との合計が５０ｍｍ〜１５０ｍｍであることができる。
また、前記第一の前テープ体及び前記第二の前テープ体の長さは、それぞれ独立に２００ｍｍ〜２７０ｍｍであることができる。
また、前記第一の後テープ体及び前記第二の後テープ体の長さは、それぞれ独立に８０ｍｍ〜１５０ｍｍであることができる。
また、前記変形Ｈ字型粘着部材の粘着層は剥離ライナーで覆われており、該剥離ライナーには複数箇所背割りが施されていることができる。
ここで、前記変形Ｈ字型粘着部材の粘着層を覆い、かつ、背割りによって区画された各剥離ライナーには、文字又は画像が表示されていることができる。
また、前記背割りによって区画された剥離ライナーに付された文字又は画像から、順番を認識することができることが好ましい。
また、足首部関節用粘着部材を構成する支持体は、強撚布からなることができる。
また、足首部用粘着部材を構成する粘着層は、アクリル系粘着剤又はゲル系粘着剤から形成されていることができる。
また、足首部用粘着部材を構成する粘着層の厚みと支持体の厚みの合計が、３００μｍ〜１１００μｍであり、前記粘着層と前記支持体とからなる粘着部材の伸張率が１１０％以下であることができる。
【０００６】
本発明のテーピング方法は、底部の剥離ライナーを除去した後、垂直に上に持ち上げた前テープ体が踝表面上を覆うように、底部に踵底面を乗せて貼着し、足首部の外側に貼着すべき、一方の後テープ体の剥離ライナーを除去し、該後テープ体の先端部を持って後テープ体を垂直に持ち上げて伸張させながら足首部の外側踝を覆うように貼着し、続いて、足首部の内側に貼着すべき、他方の後テープ体の剥離ライナーを除去した後、該後テープ体を垂直に持ち上げて伸張させながら足首部の内側踝を覆うように貼着し、次いで、足首部の外側に位置する、一方の前テープ体の剥離ライナーを除去してから、該前テープ体の先端部を持って前テープ体を伸張させながら、足の甲上方足首部を通って内側踝の上を覆い、さらに足首の後ろのアキレス腱を通過して外側踝までの１周を貼着し、続いて、足首部の内側に位置する、他方の前テープ体の剥離ライナーを除去してから、該前テープ体の先端部を持って前テープ体を伸張させながら、足の甲上方足首部で交差して外側踝の上を覆うようにし、アキレス腱を通り、内側踝までの１周を貼着することによって、足首関節をテーピングすることを特徴とする。
ここで、前記先端部を貼着するときは、先端部の伸張を弛めてから貼着することができる。
また、さらに矩形状の補助用粘着部材を用いて、テーピングを補強することができる。
【０００７】
【発明の実施の形態】
以下、本発明の実施形態について、図面を参照しながら詳細に説明する。なお、同一の構成要素には同一の参照番号を付して、説明を省略する。
図１は、本発明の実施形態の１つである足首部用粘着部材を示す図であり、図１の（ａ）は平面図であり、図１の（ｂ）は正面図である。ここでは、外形がほぼ台形状である変形Ｈ字型粘着部材からなる足首部用粘着部材について説明する。
【０００８】
図１の（ａ）において、足首部用粘着部材は、外形がほぼ台形状であり、台形状のほぼ中央には、足の踵底面に貼付するための底部１を有する。この底部１の両側には、それぞれ、第一の後テープ体２と前テープ体３、及び、第二の後テープ体２’と前テープ体３’を有する。第一の後テープ体２と第一の前テープ体３とは軸を平行にしている。また、同様に、第二の後テープ体２’と第二の前テープ体３’とは軸を平行にしている。第一の後テープ体２及び第二の後テープ体２’は、足首側面に貼着するためのテープであり、踝を十分に覆うことができる長さであることは必要であるが、長すぎない適度な長さ、例えば、踝のやや上方に達する程度の長さであることが好ましい。このような長さに設定されていれば、テーピングした粘着部材が靴下の上端から、はみ出さないので、見栄えが良くなる。なお、このような長さとなるように、各自が適当に切断して使用してもよい。第一の前テープ体３及び第二の前テープ体３’は、アキレス腱を覆うように足首周りに貼着されるテープであり、後テープ体２、２’の長さよりは長くなっている。
また、第一の後テープ体、第一の前テープ体、第二の後テープ体、及び、第二の前テープ体の各先端は舌状に形成されている。本発明において、舌状とは矩形状の角部が切断されたような形状を意味し、例えば、曲線に類するような多角形状、半円形状、楕円形状、Ｒ字状曲線等も含むものとする。先端部が角を有する矩形状であると、既に貼着されている粘着部材の上（自背面を含む）に重ね貼りをした際に剥がれやすくなるが、先端部を舌状に形成することによって、重ね貼りしても剥がれにくくなる。
底部１は矩形状をしており、その一辺には第一の後テープ体２と前テープ体３が、この辺の対辺には第二の後テープ体２’と前テープ体３’が配置されている。
【０００９】
本発明の足首部用粘着部材の層構成については後述するが、使用時まで粘着層へ埃等が付着することを防ぎ、粘着層を保護するために、粘着層の上には剥離ライナーが積層されている。この剥離ライナーには数箇所背割りが施されている。例えば図１の（ａ）においては、底部１と、底部左側に配置されている第一の後テープ体２及び第一の前テープ体３との境界部分４、及び、同様に、底部右側に配置されている第二のテープ体との境界部分４’に背割りが施されている。この足首部用粘着部材では、背割りされた各パーツの剥離ライナーに▲１▼、▲２▼等の数字が印刷等されて、印刷部５が形成されている。この印刷部５は数字に限定されるものではないが、例えば、テーピングを容易にするために、テーピング順序を示すような文字（数字を含む）、貼着方法を示す挿絵等の画像が何らかの方法で示されていることが好ましい。
【００１０】
図１に示すほぼ台形状の足首部用粘着部材は、台形の下底辺の長さ、すなわち、第一の前テープ体３の先端辺から第二の前テープ体３’の先端辺までの長さ（Ｌ１０）が４００ｍｍ〜６５０ｍｍであり、台形の高さ、すなわち、前テープ体（３、３’）の幅（Ｗ１２）と後テープ体（２、２’）の幅（Ｗ１１）の合計（Ｗ１０）が５０ｍｍ〜１５０ｍｍであることが好ましく、かかる範囲内で、体型、足型等を考慮して適宜設計されることが好ましい。後テープ体２（又は２’）の長さ（Ｌ１１）は８０ｍｍ〜１５０ｍｍであることが好ましく、前テープ体３（又は３’）の長さ（Ｌ１３）は２００ｍｍ〜２７０ｍｍであることが好ましい。また、底部１の長さ（Ｌ１２）は踵の幅より大きくてもよく、例えば５０ｍｍ〜９０ｍｍであることが好ましい。これらの長さ及び底部の大きさ等も、体型、足型等を考慮して適宜設計されることが好ましい。
【００１１】
図１の（ｂ）に足首部用粘着部材の層構成を例示する。図１の（ｂ）において、足首部用粘着部材は、支持体１１と粘着層１２と剥離ライナー１３とからなる。ここでは、支持体１１が基材１４のみからなる構成であるが、図２に示すように、基材１４に他の層１５を積層してもよい。他の層１５の種類等は、必要に応じて、適宜選択することができる。剥離ライナー１３は無くても良いが、使用時まで粘着層１２を汚染から防ぎ、粘着力を保護するためには、粘着層１２の上に剥離ライナー１３を積層することが好ましい。
図１の（ｂ）において、剥離ライナー１３には各パーツの境界部分（４、４’）に背割りが施されており、各パーツを覆う剥離ライナーの各々には、数字（▲１▼、▲２▼等）が印刷された印刷部５が形成されている。
この剥離ライナーは、一般的に皮膚へ貼付する粘着テープ等に用いられるものを使用することができる。具体的には、上質紙、グラシン紙、パーチメント紙等の表面に、シリコーン等の剥離性能を有する剥離剤をコーティングしたものや、上質紙にレジンをアンカーコートしたもの又はポリエチレンをラミネートしたもの等の表面にシリコーン等の剥離性能を有する剥離剤をコーティングしたもの等を使用することができる。
【００１２】
本発明の足首部用粘着部材は、良好なハンドリング性（作業性）と固定性とを有することが好ましい。したがって、本発明の足首部用粘着部材（例えば、剥離ライナーを除いた粘着部材、すなわち、支持体と粘着層とからなる粘着部材）は、長手方向（矩形状の長さの長い方向）の伸張率（伸張度）が３０％〜１１０％程度であることが好ましく、３０％〜７０％であることが更に好ましい。また、かかる粘着部材は、引張強度が１０Ｎ／１９ｍｍ幅以上、２００Ｎ／１９ｍｍ幅以下であることが好ましく、２０％モジュラス（２０％伸張時における引張り応力）が０．５Ｎ／１９ｍｍ幅以上、８Ｎ／１９ｍｍ幅以下であることが好ましい。伸張率が１１０％より大きいと、足首部と接触する領域の粘着部材が足首部の伸縮動作等に応じて繰り返し伸縮させられることによって、粘着部材が伸びきってしまう恐れがある。ここで、２０％モジュラスとは、所定形状の試料片を、所定速度で２０％伸張するまで引っ張った時の引張強度をいう。
【００１３】
本発明の足首部用粘着部材を構成する基材１４としては、例えば、伸縮性を有する天然ゴム系シート、合成ゴム系シート、これらのシートで穿孔等が施された透湿性を有するシート、長手方向（縦糸）に伸縮糸を用いたタテ伸び布（例えば、ウレタンを糸の芯にした伸縮糸を用いたスパンデックス織布）、縦糸及び横糸に伸縮糸を用いた伸縮布、長手方向に強撚糸を打込んだ強撚布、これらの織布や編布とポリウレタンフィルムとをラミネートしたもの等を用いることができる。本発明においては、長手方向の伸張率が３０％〜１１０％程度、引張強度が１０Ｎ／１９ｍｍ幅〜２００Ｎ／１９ｍｍ幅、２０％モジュラスが０．５Ｎ／１９ｍｍ幅〜８Ｎ／１９ｍｍ幅である強撚布を用いることが好ましい。かかる強撚布を使用することによって、テーピングを行う際に重要な良好なハンドリング性（作業性）、追従性、固定性、圧迫性（キックバック性）等を発揮することができる。
【００１４】
基材１４の厚さは、基材の材料特性等によって適宜決定されることが好ましいが、皮膚への追従性、テープ固定性、テーピング作業性等を考慮すると、３００μｍ〜１０００μｍが好ましく、さらに好ましくは５００μｍ〜８００μｍである。基材１４は単層構成でも多層構成でもよく、多層構成の場合には、全層の合計の厚さが上記範囲内であることが好ましい。
また、本発明の足首部用粘着部材は、剥離ライナーを除いた粘着部材の厚さが、３００μｍ〜１１００μｍであることが好ましい。
【００１５】
粘着層１２は、貼着した皮膚に追従できる程度の柔軟性や粘弾性を有し、皮膚に対して刺激の少ない粘着剤を用いて形成することが好ましく、一般的なテーピング用粘着テープの分野等で周知、あるいは実用されている種々の粘着剤を使用することができる。具体的には、アクリル系粘着剤、ゴム系粘着剤、合成ゴム系粘着剤、ビニルエーテル系粘着剤、シリコーン系粘着剤、ゲル系粘着剤を用いることができるが、皮膚刺激性等を考慮すると、アクリル系粘着剤もしくはゲル系粘着剤を用いることが好ましい。例えば、油性ゲル粘着剤は、接着力は比較的低いが、皮膚との密着性に優れ、テーピング等の用途には充分であり、剥離する際には皮膚表面の角質を傷つけることがないため、好適に使用することができる。なお、ゲル系粘着剤については、公表特許公報２０００−５１３２８７号を参照されたい。
【００１６】
粘着層１２は、支持体１１の片面全面に設けてもよいが、部分的に設けてもよい。支持体１１の基材面上に部分的に設ける場合には、粘着層をドット状または条状に形成することができ、粘着層が形成されていない領域が通気路としても機能するので、膝部用粘着部材の通気性や透湿性を向上させることができ、発汗によるムレやカブレ等を予防することができる。条状の形状としては、直線状、波状等が挙げられる。一般的には条間空間の断面積の経時的な変化が少ない波状とすることが好ましいが、使用する粘着剤の特性等によって適宜決定することが好ましい。また、粘着層を基材面上に部分的に設ける場合には、条間に通気路として機能する空間が確保されるように、ドットの大きさや配置、条間空間の大きさ等を適宜設計することが好ましい。
所望の領域に粘着剤を塗布する場合には、剥離ライナー上に、例えば、櫛形状の型を用いて塗工中にその櫛を固定したり、振幅移動させたりして、所望のスジ状又はウエイブ状等の形状を有する粘着層を剥離ライナー上に形成し、これを基材１４の面上に転写すればよい。
【００１７】
粘着層１２の厚さは、使用される粘着剤の種類、特性等によって適宜決定されることが好ましいが、例えば、２０μｍ〜１２０μｍであることが好ましく、４０μｍ〜１００μｍであることが更に好ましい。
【００１８】
足首部用粘着部材には、本発明の効果を阻害しない範囲内であれば、必要に応じて穿孔を施してもかまわない。
【００１９】
本発明の足首部用粘着部材を用いてテーピングを行う方法の一例として、図１に示すほぼ台形状の変形Ｈ字型足首部用粘着部材を、足首部に適用した例を図を用いて以下に説明する。本発明においてテーピングとは、粘着テープ等を用いて関節部、筋肉、腱等の施部を固定することであり、この施部を支持、補正、補強等することにより、痛みを軽減したり、治療を促進したりする効果がある。
【００２０】
図３〜図５は、本発明の足首部用粘着部材を用いて足首関節等を固定する方法を説明する図である。
図３の（ａ）において、足首部用粘着部材を、例えば床や地面等のように貼着作業が行い易い場所に、剥離ライナーが上を向くようにして置く。底部１の剥離ライナー（表示▲１▼）を除去した後、後テープ２、２’を上に引き上げた時に踝の真上を通過するように、すなわち底部１の後ろの辺（台形の上底辺）から踵がややはみ出すようにして、踵底面を底部１の粘着層の上に乗せて貼着する。図３の（ｂ）において、足首部の角度（θ）を９０度に保った状態で、足首部の外側に貼着すべき第一の後テープ体２の剥離ライナー（表示▲２▼）を除去し、第一の後テープ体２の先端部を手で持って真上に引き上げ、第一の後テープ体２を伸張させながら足首関節の外側踝を覆うように、第一の後テープ体２を途中まで貼着した後、第一の後テープ体の先端部を、伸張を弛めた状態で貼着する。このように、テープ体を伸張させた状態で途中まで貼着するのは、施部位に適度な固定力を付与するためであり、先端部の伸張を弛めてから貼着するのは、皮膚と粘着部材との接着面間の物理的ストレスを少なくし、皮膚刺激を軽減するためであり、また、テープ体の端部の応力歪による剥がれを少なくするためである。
続いて、図３の（ｃ）に示すように、足首部の内側に貼着すべき第二の後テープ体２’の剥離ライナー（表示▲２▼’）を除去した後、その先端部を手で持って、内側の踝を覆うように第二のテープ体２’を真上方向に引張って伸張させながら途中まで貼着した後、第二のテープ体２’の先端部の伸張を弛めてから先端部を貼着する。これが、いわゆる「スターアップ」に相当するものであり、距骨、踵骨の内反を抑制、制限することができる。
【００２１】
次に、図４の（ａ）に示すように、足首部の外側に位置する第一の前テープ体３の剥離ライナー（表示▲３▼）を除去してから、第一の前テープ体３の先端部を手で持ち伸張させながら、足首の甲の上を通過させ、アキレス腱を覆うように足首関節の後ろを通した後（図４の（ｂ）参照）、足首の前にもってきて、すなわち第一の前テープ体３を足首の周りにほぼ一周させ、第一の前テープ体３を先端部を残して貼着し、続いて、先端部の伸張を弛めてから先端部を貼着する（図４の（ｃ）参照）。
【００２２】
同様にして、図５の（ａ）に示すように、足首関節の内側に位置する第二の前テープ体３’の剥離ライナー（表示▲３▼’）を除去してから、第二のテープ体３’の先端部を手で持ち引っ張って伸張させながら、足の甲を通って、アキレス腱を覆うように足首関節の後ろを通し（図５の（ｂ）参照）、足首をほぼ一周させ、第二のテープ体３’を先端部を残して貼着し、続いて、先端部の伸張を弛めてから先端部を既に貼着されている第二のテープ体３の基材面上に重ねて貼着する（図５の（ｃ）参照）。これが、いわゆる「フィギュア−エイト」に相当するものであり、スターアップのテーピング機能と共に、足関節の内かえしを抑制、制限し、距骨が前方へ移動することを抑制、制限することができる。また、アキレス腱を保護し、足首部の固定力を強化してスターアップのテーピングを固定する役割もある。
また、必要に応じて、底部に適度に体重をかけながらテーピングを行ってもよい。このようにすれば、運動時に足首関節等に負荷がかかった状態に近い状態でテーピングを行うことになる。
【００２３】
本発明によれば、上記したように、外形がほぼ台形状の変形Ｈ字型粘着部材を用いてテーピングすることによって、足首関節等を適切に固定することができる。
本発明においては、変形Ｈ字型粘着部材でテーピングを行った後、さらに、非伸縮性の綿テープ又は伸縮テープで形成された矩形状の補助部材を適宜用い、変形Ｈ字型粘着部材の上に重ねてテーピングすることによって変形Ｈ字型粘着部材によるテーピングを補強してもよい。以下に補助用粘着部材を用いてテーピングを補強する方法について説明する。なお、補助用粘着部材は変形Ｈ字型粘着部材を貼着した後、この上に更に重ねて貼着されるが、重ねて貼着された形態で示すと煩雑な図面になるので、以下では、貼着した変形Ｈ字型粘着部材を省略し、補助用粘着部材のみを貼着した図面で説明することにする。
【００２４】
図６の（ａ）及び（ｂ）に、補助用粘着部材を用いてテーピングを補強する第一のテーピング補強方法を示す。これは、足首が内側に捩れること、すなわち足首の内がえし（内反）を防ぐために有効なテーピング補強方法である。図６の（ａ）において、足首の外側踝を覆うように、指の付け根から補助用粘着部材３１を伸張させながら貼着し、次に、足首後ろに回してアキレス腱を覆った後、図６の（ｂ）に示すように、足首内側から足首前面に回し、補助用粘着部材の端の伸張を弛めてから貼着する。
【００２５】
図７の（ａ）及び（ｂ）に、補助用粘着部材を用いてテーピングを補強する第二のテーピング補強方法を示す。これは、足首が外側に捩れること、すなわち足首の外がえし（外反）を防ぐために有効なテーピング補強方法である。図７の（ａ）において、足首の内側踝を覆うように、指の付け根から補助用粘着部材３１を伸張させながら貼着し、次に、足首後ろに回してアキレス腱を覆った後、図７の（ｂ）に示すように、足首外側から足首前面に回し、補助用粘着部材の端の伸張を弛めてから貼着する。
【００２６】
図８の（ａ）及び（ｂ）に、補助用粘着部材を用いてテーピングを補強する第三のテーピング補強方法を示す。これは、足先が床側に捩れること、すなわち足首先の底屈を防ぐために有効なテーピング補強方法である。図８の（ａ）において、足首の角度を９０度にした後、足首の付け根に補助用粘着部材３１を貼着し、次に、この部分を押さえて粘着部材の一方の端をつま先の方向へ引っ張って途中まで貼着した後、先端部の伸張を弛めてから指の付け根に貼着する。続いて、図８の（ｂ）に示すように、足首の付け根に貼着した補助用粘着部材３１を押さえて他方の端を脛の方向へ引っ張って途中まで貼着した後、先端部の伸張を弛めてから脛に貼着する。
【００２７】
図９の（ａ）及び（ｂ）に、補助用粘着部材を用いてテーピングを補強する第四のテーピング補強方法を示す。これは、足先が脛側に捩れること、すなわち足首先の背屈を防ぐために有効なテーピング補強方法である。図９の（ａ）において、足首先を背屈させた状態、すなわち、足首の角度を９０度より小さくした後、足指の付け根から足裏に補助用粘着部材３１を伸張させつつ貼着する。次に、図９の（ｂ）に示すように、アキレス腱を伸ばすようにして、足首後ろから、脹脛の方向へ補助用粘着部材３１を引っ張って伸張させつつ途中まで貼着した後、先端部の伸張を弛めてから貼着する。
【００２８】
本発明に使用される補助用粘着部材はほぼ矩形状をしており、足の甲及びアキレス腱を覆うことができるような大きさであることが好ましい。例えば、矩形状の短辺が３．８ｃｍ〜７．５ｃｍであり、長辺が７．５ｃｍ〜２０ｃｍであることが好ましい。また、矩形状の端部は舌状に形成されていることが好ましい。
補助用粘着部材が伸縮テープで構成される場合には、本発明の変形Ｈ字型粘着部材と同様の材料とすることができ、また同様の層構成とすることができる。また、非伸縮性テープで構成される場合には、一般的なテーピング用の非伸縮性綿テープと同様の材料とすることができる。あるいは、市販のテーピング用テープで代用することもできる。
【００２９】
本発明の足首部用粘着部材、及び必要に応じて使用される補助用粘着部材の剥離ライナーに貼着順序を示す表示がなされていれば、この順序に従って貼着することによって、テーピングの専門知識がない人でも、容易に、しかも適切な位置にテーピングすることができる。
また、本発明のテーピング方法にさらに追加して、従来のテーピング方法を行ってもよい。
【００３０】
【実施例】
以下に本発明の実施例を示し、さらに具体的に説明するが、本発明はこれらに限定されるものではなく、本発明の技術的思想を逸脱しない範囲内で種々の応用が可能である。
【００３１】
実施例１
２−エチルヘキシルアクリレート９０重量部、及び、アクリル酸９重量部の混合物を、不活性ガス雰囲気下で酢酸エチルによって共重合することによりアクリル系粘着剤を得た。このアクリル系粘着剤を、上質紙にポリエチレンをラミネートした面にシリコーン処理を施した剥離ライナーの処理面に、乾燥後の厚さが８０μｍとなるように塗布し、１２０℃で３分間乾燥させて粘着層を形成した。この粘着層の上に、基材として用意した綿とレーヨンからなる混紡糸を綾織した布（強撚織布）を重ね、貼合せることにより、基材／粘着層／剥離ライナーの層構成を有する積層体を得た。ただし、基材及び粘着層の厚さは、７５０μｍであった。
得られた積層体に打ち抜き加工を施して、図１に示すような形状の足首部用粘着部材を得た。ただし、外形がほぼ台形である変形Ｈ字状粘着部材は、図１における台形の高さ（Ｗ１０）が１００ｍｍ、後テープ体の幅（Ｗ１１）及び前テープ体の幅（Ｗ１２）がそれぞれ５０ｍｍであり、台形の下底辺の長さ（Ｌ１０）が５５０ｍｍであった。また、後テープ体の長さ（Ｌ１１）は１１５ｍｍであり、前テープ体の長さが２４０ｍｍであった。また、底部の長さ（Ｗ１２）は７０ｍｍであった。
剥離ライナーには各部の境界部分に背割りが施されており、背割りで区画された各剥離ライナーには貼付順番を示す連続数字のスタンプが押されてあった。
得られた足首部用粘着部材を用い、上記変形Ｈ字型粘着部材のテーピング方法に従って、足首部にテーピングを行った。
【００３２】
実施例２
上質紙にポリエチレンをラミネートした面にシリコーン処理を施した剥離ライナーの処理面に、油性ゲル粘着剤を乾燥後の厚さが６５μｍとなるように塗布し、１２０℃で３分間乾燥させることにより粘着層を形成した。次に、ポリエステル７５デニール糸をスムーズ編で伸縮するように編み込んだ、厚さ約２５２μｍの伸縮性編布である基材の一方の面に、約１３μｍのポリウレタンフィルムを接着積層して支持体を形成した。支持体の基材面に、粘着層を重ねて貼合せることにより、ポリウレタンフィルム／基材／粘着層／剥離ライナーの層構成を有する積層体を得た。ただし、積層体（剥離ライナーを除く）の厚さ、具体的には支持体と粘着層の合計の厚さが約３２０μｍであった。
得られた積層体に打ち抜き加工を施して、図１に示すような形状の足首部用粘着部材を得た。ただし、外形がほぼ台形である変形Ｈ字状粘着部材は、図１における台形の高さ（Ｗ１０）が１００ｍｍ、後テープ体の幅（Ｗ１１）及び前テープ体の幅（Ｗ１２）がそれぞれ５０ｍｍであり、台形の下底辺の長さ（Ｌ１０）が５６０ｍｍであった。また、後テープ体の長さ（Ｌ１１）は９０ｍｍであり、前テープ体の長さが２１５ｍｍであった。また、底部の長さ（Ｗ１２）は５０ｍｍであった。
剥離ライナーには各部の境界部分に背割りが施されており、背割りで区画された各剥離ライナーには貼付順番を示す連続数字のスタンプが押されてあった。
得られた足首部用粘着部材を用い、上記変形Ｈ字型粘着部材のテーピング方法に従って、足首部にテーピングを行った。
【００３３】
比較例１
一般にスポーツ用テーピングテープとして知られている通常のテープを用い、一般的な方法でテーピングを行った。すなわち、まず、足首を中心にアンダーラップテープを貼る。次に、非伸縮性の綿テープであるアンカーテープ（３８ｍｍ幅）を２本、足首より約５ｃｍ上の位置に貼着する。ただし、２本のアンカーテープは、１／３〜１／２程度ずらして貼られており、また、回旋して巻きつけられている。次に、スターアップテープ（３８ｍｍ幅）を、内側のアンカーテープの位置から内側踝を通って外側のアンカーテープの位置まで引き上げて貼着する。ただし、スターアップテープは、１／３〜１／２程度ずらして３本貼着される。その後、アンカーテープでスターアップテープの端部を止めるために、足首より約５ｃｍ上の位置でアンカーテープを２本巻きつけて貼着する。次に、足首周辺に圧迫を加えて足首がぐらつくことを抑制するために、フィギュアエイトテープを、アキレス腱の位置を起点とし、ここから外側踝を通り足の甲にまわし、土踏まずを通って再び甲で交差させ、内側踝の上を通して起点に戻り、さらにアキレス腱を越えて外側まで半周させて貼着する。その後、ヒールロックテーピングを行う。すなわち、強撚布の伸縮テープを、足の甲を起点とし、内側踝から踵の後ろを通し、外側踝の下方を通して土踏まずへまわし、再び甲で交差させる。続いて、外側踝の上を通過させ、アキレス腱を経由して踵へまわし、内側踝の下方を通して土踏まずを斜めに通過させた後、甲へまわす。この操作を繰り返して行い、足首上方に貼着してあるアンカーテープの位置まで、連続的に上方へ巻き上げていく。
【００３４】
上記の実施例１、実施例２、及び、比較例１に示すテーピング方法で、年齢層が３０代以上のボランティア２０人の足首に粘着部材を貼付してもらい、下記基準に基づき、テーピングの操作性、及び、テーピング直後の状態を評価してもらった。また、粘着部材を貼着後、ジョッギングを１時間実施した後で、下記基準に基づき、運動後の接着持続性と固定能の評価を行った。各評価基準の該当人数を表１に示す。
【００３５】
《評価基準》
▲１▼  テーピングの操作性
「１」…非常に貼付しやすく、３分以内でテーピングを行うことができた場合
「２」…貼付し難く、テーピング時間は、３分より長く、１０分未満であった
「３」…非常に貼付しにくく、テーピングに１０分以上かかった場合
▲２▼  テーピング直後の状態
「１」…局部の貼り太りが生じず、非常に快適であった
「２」…貼付後、不快感は感じないが、やや違和感があった
「３」…貼付後、テーピングを意識させる不快感があり、苦痛であった
「４」…非常に苦痛で不快であり、通常の靴を履くことができなかった
▲３▼  運動後の接着持続性と固定能
「１」…貼着した粘着部材は９０％以上剥がれておらず、足首へのテーピング機能が十分に持続していた
「２」…剥がれてない部分が５０％以上、９０％未満残存し、１部に緩みが生じたがテーピング機能は有していた
「３」…剥がれていない部分が５０％未満であり、あるいは緩みが生じ、テーピング機能が失われていた
【００３６】
【表１】
2005013370.tif 000003
【００３７】
表１から明らかなように、実施例１及び実施例２の足首部用粘着部材を用いて、実施例１、２の方法によってテーピングを行った場合には、テーピングの操作性、テーピング直後の状態、及び、運動後の接着持続性と固定能の全ての評価において、２０人中１３人以上が、最高レベルの評価点をつけた。すなわち、装着感及び操作性において良好であり、テーピング機能も十分であることが分かった。また、実施例２の足首部用粘着テープは防水性を有していることが分かった。
一方、従来の方法によってテーピングを行った比較例１では、テーピングに時間がかかり、テーピングの装着感に不快感を訴える人が多数いることが分かった。
【００３８】
【発明の効果】
以上詳しく説明したように、本発明の足首部用粘着部材を用いれば、テーピングの専門知識を有しない人でも、例えば剥離ライナーに表示された順序に従ってテーピングを行うことにより、容易に、短時間で、適切なテーピングを行うことができる。また、このように、誰でも、手軽に簡単にテーピングを行うことができるので、くせになりやすい捻挫の再発予防に役立ち、また、大きなケガを予防することができる。
本発明の足首部用粘着部材を用いれば、足首関節等を十分に固定することができ、しかも固定能が持続するので、ウオーキング、ジョッギング、登山者、種々の運動競技者、足関節の機能回復訓練者等が便利に利用することができる。また、本発明の足首部用粘着部材を用いれば、貼り太りが生じず、日常生活にも不便を感じさせないので、通常の靴を履くことができ、運動競技者等の靴の使用も妨げない。
本発明のテーピング方法によれば、踵底面をＨ字状粘着部材の底部に乗せて、体重をかけつつテーピングを行うことができるので、片手で粘着部材を押さえておく必要がなく、両手が自由に使える状態でテーピングを行うことができる。また、運動時に足首関節等に負荷がかかった状態に近い状態でテーピングを行うことができるので、有効なテーピング効果が得られやすい。
本発明のテーピング方法によれば、足首に回旋状に巻きつけないので締め付け過ぎによる局部の循環障害や神経障害が生じることもない。
【図面の簡単な説明】
【図１】本発明の実施形態の１つである足首部用粘部材を示す図であり、（ａ）はその平面図、（ｂ）はその正面図である。
【図２】本発明の足首部用粘着部材の層構成を示す図である。
【図３】本発明の足首部用粘着部材を用いてテーピングを行う方法を説明するための図である。
【図４】本発明の足首部用粘着部材を用いてテーピングを行う方法を説明するための図である。
【図５】本発明の足首部用粘着部材を用いてテーピングを行う方法を説明するための図である。
【図６】本発明の補助用粘着部材を更に用いてテーピングを行う方法を説明するための図である。
【図７】本発明の補助用粘着部材を更に用いてテーピングを行う方法を説明するための図である。
【図８】本発明の補助用粘着部材を更に用いてテーピングを行う方法を説明するための図である。
【図９】本発明の補助用粘着部材を更に用いてテーピングを行う方法を説明するための図である。
【符号の説明】
１  底部
２  第一の後テープ体
２’  第二の後テープ体
３  第一の前テープ体
３’  第二の前テープ体
４、４’  境界部分
５  印刷部
１１  支持体
１２  粘着層
１３  剥離ライナー
１４  基材
２０  足
３１  補助用粘着部材
【図１】
2005013370.tif 000004
【図２】
2005013370.tif 000005
【図３】
2005013370.tif 000006
【図４】
2005013370.tif 000007
【図５】
2005013370.tif 000008
【図６】
2005013370.tif 000009
【図７】
2005013370.tif 000010
【図８】
2005013370.tif 000011
【図９】
2005013370.tif 000012